(57)【要約】【課題】  エンジンの始動状態から刈取作業を行うときの操作の簡略化を図ることができるコンバインの駆動制御装置を提供する。【解決手段】  制御手段Ｈが、作業指令手段Ｉにて作業開始指令が指令されると、アクセル手段４２を定格回転状態にかつ脱穀クラッチ１２を入り状態にする運転起動状態にすべく、切換操作用駆動手段Ｍの作動を制御するように構成され、且つ、運転起動状態において、運転状態検出手段Ｊの検出情報に基づいて刈取作業開始条件が満たされていることを判別すると、刈取クラッチ１０を入り状態にし、かつ、運転状態検出手段Ｊの検出情報に基づいて刈取作業開始条件が満たされていないことを判別すると、刈取クラッチ１０を切り状態にすべく、切換操作用駆動手段Ｍの作動を制御するように構成されている。【選択図】        図１１
2008212153.tif 000002
【特許請求の範囲】
【請求項１】
エンジンの出力を脱穀装置に伝達する入り状態と前記エンジンの出力の前記脱穀装置への伝達を遮断する切り状態とに切り換え自在な脱穀クラッチと、
前記エンジンの出力を刈取処理装置に伝達する入り状態と前記エンジンの出力の前記刈取処理装置への伝達を遮断する切り状態とに切り換え自在な刈取クラッチと、
前記エンジンを設定定格回転数にて回転させる定格回転状態と前記エンジンをアイドリング回転数にて回転させるアイドリング状態とに切り換え自在なアクセル手段とが設けられたコンバインの駆動制御装置であって、
前記脱穀クラッチの前記入り状態と前記切り状態との切換操作、前記刈取クラッチの前記入り状態と前記切り状態との切換操作、及び、前記アクセル手段の前記定格回転状態と前記アイドリング状態との切換操作を行う切換操作用駆動手段と、
作業開始指令を指令する状態に操作自在な作業指令手段と、
刈取作業開始条件が満たされているか否かを判別するための運転操作状態を検出する運転操作状態検出手段と、
前記切換操作用駆動手段の作動を制御する制御手段とが設けられ、
前記制御手段が、
前記作業指令手段にて前記作業開始指令が指令されると、前記アクセル手段を前記定格回転状態にかつ前記脱穀クラッチを入り状態にする運転起動状態にすべく、前記切換操作用駆動手段の作動を制御するように構成され、且つ、
前記運転起動状態において、前記運転操作状態検出手段の検出情報に基づいて前記刈取作業開始条件が満たされていることを判別すると、前記刈取クラッチを前記入り状態にし、かつ、前記運転操作状態検出手段の検出情報に基づいて前記刈取作業開始条件が満たされていないことを判別すると、前記刈取クラッチを前記切り状態にすべく、前記切換操作用駆動手段の作動を制御するように構成されているコンバインの駆動制御装置。
【請求項２】
前記作業指令手段が、作業停止指令を指令する状態に操作自在に構成され、
前記制御手段が、前記運転起動状態において、前記作業指令手段により前記作業停止指令が指令されると、前記アクセル手段を前記定格回転状態に維持した状態で前記脱穀クラッチ及び前記刈取クラッチを前記切り状態とすべく、前記切換操作用駆動手段の作動を制御するように構成されている請求項１に記載のコンバインの駆動制御装置。
【請求項３】
前記運転操作状態検出手段が、
前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、
前記制御手段が、
前記刈取処理装置が設定高さよりも下降側の刈取処理高さに位置し、且つ、前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている請求項１又は２に記載のコンバインの制御装置。
【請求項４】
前記運転操作状態検出手段が、
前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、
前記制御手段が、
前記刈取処理装置が設定高さよりも下降側の刈取処理高さに位置し、且つ、前記走行変速操作具が前進側範囲の位置又は前進側範囲でかつ設定速度以上の高速側の範囲に位置すると、前記刈取作業開始条件が満たされたと判別するように構成されている請求項１又は２に記載のコンバインの制御装置。
【請求項５】
前記運転操作状態検出手段が、
前記脱穀装置を搭載した走行機体に対して昇降操作自在に設けられた前記刈取処理装置の昇降位置を検出する昇降位置検出手段を備えて構成され、
前記制御手段が、
前記刈取処理装置が設定高さよりも下降側の刈取処理高さに位置すると、前記刈取作業開始条件が満たされたと判別するように構成されている請求項１又は２に記載のコンバインの制御装置。
【請求項６】
前記運転操作状態検出手段が、
走行変速操作具の変速操作位置を検出する操作位置検出手段を備えて構成され、
前記制御手段が、
前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている請求項１又は２に記載のコンバインの制御装置。
【請求項７】
前記運転操作状態検出手段が、
走行変速操作具の変速操作位置を検出する操作位置検出手段を備えて構成され、
前記制御手段が、
前記走行変速操作具が前進側範囲の位置又は前進側範囲でかつ設定速度以上の高速側の範囲に位置すると、前記刈取作業開始条件が満たされたと判別するように構成されている請求項１又は２に記載のコンバインの制御装置。
【請求項８】
電源回路を切るオフ状態及び前記電源回路を入れるオン状態に切換操作自在なメインスイッチが設けられ、
前記制御手段が、前記メインスイッチが前記オフ状態から前記オン状態に切り換えられると、前記アクセル手段を前記アイドリング状態に且つ前記脱穀クラッチ及び前記刈取クラッチを前記切り状態にすべく、前記切換操作用駆動手段の作動を制御するように構成されている請求項１〜７のいずれか１項に記載のコンバインの制御装置。
【請求項９】
前記切換操作用駆動手段が、単一のアクチュエータにて、前記脱穀クラッチ、前記刈取クラッチ、及び、前記アクセル手段を操作するように構成されている請求項１〜７のいずれか１項に記載のコンバインの駆動制御装置。
【発明の詳細な説明】
【技術分野】
【０００１】
本発明は、エンジンの出力を脱穀装置に伝達する入り状態と前記エンジンの出力の前記脱穀装置への伝達を遮断する切り状態とに切り換え自在な脱穀クラッチと、前記エンジンの出力を刈取処理装置に伝達する入り状態と前記エンジンの出力の前記刈取処理装置への伝達を遮断する切り状態とに切り換え自在な刈取クラッチと、前記エンジンを設定定格回転数にて回転させる定格回転状態と前記エンジンをアイドリング回転数にて回転させるアイドリング状態とに切り換え自在なアクセル手段とが設けられたコンバインの駆動制御装置に関する。
【背景技術】
【０００２】
コンバインは、エンジンの始動を行うときには、脱穀クラッチ及び刈取クラッチを切り状態に且つアクセル手段をアイドリング状態にすることになり、そして、エンジンの始動後において、刈取作業を行うときには、先ず、アクセル手段を定格回転状態にし、脱穀クラッチを入り状態に且つ刈取クラッチを切り状態にして、枕地等における走行を行うことになり、そして、実際に刈取作業を開始するときには、アクセル手段を定格回転状態に且つ脱穀クラッチ及び刈取クラッチを入り状態にすることになる。つまり、エンジンの始動後において、刈取作業を行うときには、先ず、アクセル手段を定格回転状態にかつ脱穀クラッチを入り状態にする運転起動状態にし、その運転起動状態において、アクセル手段を定格回転状態に且つ脱穀クラッチを入り状態に維持したまま、実際に刈取処理装置にて穀稈を刈取処理する刈取作業中のときには、刈取クラッチを入り状態に切り換え、且つ、刈取処理装置にて穀稈を刈取処理せずに枕地等を走行する等、非刈取作業中のときには、刈取クラッチを切り状態に切り換えることになる。
【０００３】
このようなコンバインにおいては、操作の簡略化が望まれるものであり、そのためのコンバインの駆動制御装置における第１の従来例として、アイドリング用調節指令を指令するアイドルスイッチ、作業用調節指令を指令するセットスイッチ、アクセルレバーをアイドリング状態と定格回転状態に切り換える電動モータ、及び、アイドルスイッチにてアイドリング用調節指令が指令されると、アクセルレバーがアイドリング状態になるように電動モータの作動を制御し、セットスイッチにて作業用調節指令が指令されると、アクセルレバーがアイドリング状態になるように電動モータの作動を制御する制御手段が設けられたものがある（例えば、特許文献１参照。）。
【０００４】
上記第１の従来例においては、セットスイッチにて作業用調節指令を指令するだけの簡単な操作で、アクセル手段を定格回転状態に切り換えることができるものであるが、エンジンの始動後において、運転起動状態にするときには、セットスイッチにて作業用調節指令を指令することに加えて、脱穀クラッチを入り状態に切り換える操作を要するものとなるため、脱穀クラッチを別途手動操作しなければならない等、操作の簡略化を図ることができないものであり、加えて、運転起動状態において、刈取作業中のときには、刈取作業クラッチを入り状態に切り換え、非刈取作業中のときには、刈取作業クラッチを切り状態に切り換える操作を要するものとなる等、刈取作業を行なうときの操作の簡略化を図ることができないものであった。
【０００５】
そこで、上述の不利を解消するためのコンバインの駆動制御装置における第２の従来例として、脱穀クラッチ及び刈取クラッチを入り状態と切り状態に切り換える電動モータ、脱穀クラッチ及び刈取クラッチを入り状態と切り状態とに切り換え自在な操作スイッチ及び自動入切スイッチ、刈取処理装置の昇降位置を検出する昇降位置センサ、及び、電動モータの作動を制御する制御手段を設け、その制御手段が、自動入切スイッチを切り状態に切り換えた状態において、操作スイッチを入り状態にすると、脱穀クラッチ及び刈取クラッチを入り状態にし、かつ、操作スイッチを切り状態にすると、脱穀クラッチ及び刈取クラッチを切り状態にするように、電動モータの作動を制御し、又、自動入切スイッチを入り状態に切り換えた状態において、操作スイッチを入り状態にすると、昇降位置センサの検出情報に基づいて、刈取処理装置が刈取位置に位置するときには、脱穀クラッチ及び刈取クラッチを入り状態にし、刈取処理装置が非刈取上昇位置に位置するときには、脱穀クラッチを入り状態に維持したまま、刈取クラッチを切り状態にするものがある（例えば、特許文献２参照。）。
【０００６】
すなわち、エンジンの始動を行うときには、アクセル手段をアイドリング状態にし、自動入切スイッチ及び操作スイッチを切り状態にすることにより、脱穀クラッチ及び刈取クラッチを切り状態に且つアクセル手段をアイドリング状態にすることになり、エンジンの始動後において、刈取作業を行うときには、先ず、アクセル手段を定格回転状態に切り換え、操作スイッチ及び自動入切スイッチを入り状態に切り換えることにより、アクセル手段を定格回転状態にかつ脱穀クラッチを入り状態にする運転起動状態にし、運転起動状態において、刈取作業中のときには、刈取処理装置を非刈取上昇位置から刈取位置に下降させることにより、刈取クラッチを入り状態に切り換え、非刈取作業中のときには、刈取処理装置を刈取位置から非刈取上昇位置に上昇させることにより、刈取クラッチを切り状態に切り換えるものがある。
【０００７】
【特許文献１】特開平１１−２１０４９７号公報
【特許文献２】特開２００２−９５３３７号公報
【発明の開示】
【発明が解決しようとする課題】
【０００８】
上記第２の従来例においては、刈取処理装置の昇降操作に連動して刈取クラッチを入り状態と切り状態とに自動的に切り換え操作する等、運転起動状態において、刈取作業を行なうときの操作の簡略化を図ることができるものであるが、エンジンの始動後において、運転起動状態にするときには、操作スイッチ及び自動入切スイッチを切り状態から入り状態に切り換えることに加えて、アクセル手段を定格回転状態に切り換える操作を要するものとなるため、アクセル手段を別途手動操作しなければならない等、エンジンの始動後において、運転起動状態にするときには、操作の簡略化を図ることができないものであった。
【０００９】
本発明は、上記実情に鑑みて為されたものであって、その目的は、脱穀クラッチ及び刈取クラッチが切り状態で且つアクセル手段がアイドリング状態であるエンジン始動状態から、アクセル手段を定格回転状態に且つ脱穀クラッチを入り状態にする運転起動状態への切り換え、及び、その運転起動状態における刈取クラッチの入り状態と切り状態との切り換えについての操作の簡略化を図ることができるコンバインの駆動制御装置を提供する点にある。
【課題を解決するための手段】
【００１０】
本発明のコンバインの駆動制御装置は、エンジンの出力を脱穀装置に伝達する入り状態と前記エンジンの出力の前記脱穀装置への伝達を遮断する切り状態とに切り換え自在な脱穀クラッチと、前記エンジンの出力を刈取処理装置に伝達する入り状態と前記エンジンの出力の前記刈取処理装置への伝達を遮断する切り状態とに切り換え自在な刈取クラッチと、前記エンジンを設定定格回転数にて回転させる定格回転状態と前記エンジンをアイドリング回転数にて回転させるアイドリング状態とに切り換え自在なアクセル手段とが設けられたものであって、その第１特徴構成は、前記脱穀クラッチの前記入り状態と前記切り状態との切換操作、前記刈取クラッチの前記入り状態と前記切り状態との切換操作、及び、前記アクセル手段の前記定格回転状態と前記アイドリング状態との切換操作を行う切換操作用駆動手段と、作業開始指令を指令する状態に操作自在な作業指令手段と、刈取作業開始条件が満たされているか否かを判別するための運転操作状態を検出する運転操作状態検出手段と、前記切換操作用駆動手段の作動を制御する制御手段とが設けられ、前記制御手段が、前記作業指令手段にて前記作業開始指令が指令されると、前記アクセル手段を前記定格回転状態にかつ前記脱穀クラッチを入り状態にする運転起動状態にすべく、前記切換操作用駆動手段の作動を制御するように構成され、且つ、前記運転起動状態において、前記運転操作状態検出手段の検出情報に基づいて前記刈取作業開始条件が満たされていることを判別すると、前記刈取クラッチを前記入り状態にし、かつ、前記運転操作状態検出手段の検出情報に基づいて前記刈取作業開始条件が満たされていないことを判別すると、前記刈取クラッチを前記切り状態にすべく、前記切換操作用駆動手段の作動を制御するように構成されている点にある。
【００１１】
すなわち、作業指令手段にて作業開始指令を指令することにより、制御手段が切換操作用駆動手段を作動させて、アクセル手段を定格回転状態に且つ脱穀クラッチを入り状態にする運転起動状態にすることになる。運転起動状態において、運転操作状態検出手段にて刈取作業開始条件が満たされていないことを判別することにより、制御手段が切換操作用駆動手段を作動させて、刈取クラッチを切り状態にし、運転操作状態検出手段にて刈取作業開始条件が満たされていることを判別することにより、制御手段が切換操作用駆動手段を作動させて、刈取クラッチを入り状態にすることになる。
【００１２】
このように、エンジンの始動後において、作業指令手段にて作業開始指令を指令することにより、アクセル手段を定格回転状態に且つ脱穀クラッチを入り状態にする運転起動状態にすることができるものであるから、単に、作業指令手段にて作業開始指令を指令するだけの簡単な操作で運転起動状態に操作できるものとなるのであり、運転起動状態への操作の簡略化を図ることができるものとなる。
そして、運転起動状態において、運転操作状態検出手段にて刈取作業開始条件が満たされていないことを判別することにより、刈取クラッチを切り状態にし、運転操作状態検出手段にて刈取作業開始条件が満たされていることを判別することにより、刈取クラッチを入り状態にすることができるものであるから、刈取作業開始条件を満足するか否かに基づいて刈取クラッチを入り状態と切り状態とに自動的に切り換えられることになり、刈取作業を行なうときの操作の簡略化を図ることができるものとなる。
つまり、エンジンの始動状態において、作業指令手段にて作業開始指令を指令するだけの簡単な操作により、エンジン始動状態からアクセル手段を定格回転状態に且つ脱穀クラッチを入り状態にする運転起動状態への切り換え、及び、その運転起動状態における刈取クラッチの入り状態と切り状態との切り換えを行えるものとなる。
したがって、脱穀クラッチ及び刈取クラッチが切り状態で且つアクセル手段がアイドリング状態であるエンジン始動状態から、アクセル手段を定格回転状態に且つ脱穀クラッチを入り状態にする運転起動状態への切り換え、及び、その運転起動状態における刈取クラッチの入り状態と切り状態との切り換えについての操作の簡略化を図ることができるコンバインの駆動制御装置を得るに至った。
【００１３】
本発明の第２特徴構成は、上記第１特徴構成に加えて、前記作業指令手段が、作業停止指令を指令する状態に操作自在に構成され、前記制御手段が、前記運転起動状態において、前記作業指令手段により前記作業停止指令が指令されると、前記アクセル手段を前記定格回転状態に維持した状態で前記脱穀クラッチ及び前記刈取クラッチを前記切り状態とすべく、前記切換操作用駆動手段の作動を制御するように構成されている点を特徴とする。
【００１４】
すなわち、運転起動状態において、作業指令手段にて作業停止指令が指令されることにより、制御手段が切換操作用駆動手段を作動させて、アクセル手段を定格回転状態に維持した状態で脱穀クラッチ及び刈取クラッチを切り状態に切り換えることになる。
【００１５】
このように、運転起動状態において、作業指令手段にて作業停止指令が指令されることにより、アクセル手段を定格回転状態に維持した状態で脱穀クラッチ及び刈取クラッチを切り状態に切り換えることができるものであるから、運転起動状態において、高速走行する等のために、アクセル手段を定格回転状態に且つ脱穀クラッチ及び刈取クラッチを切り状態にすることを、作業指令手段にて作業停止指令を指令する簡単な操作にて行なえるものとなる。
したがって、アクセル手段を定格回転状態に且つ脱穀クラッチ及び刈取クラッチを切り状態にするときの操作の簡略化を図ることができるコンバインの駆動制御装置を得るに至った。
【００１６】
本発明の第３特徴構成は、上記第１又は第２特徴構成に加えて、前記運転操作状態検出手段が、前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、前記制御手段が、前記刈取処理装置が設定高さよりも下降側の刈取処理高さに位置し、且つ、前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている点を特徴とする。
【００１７】
すなわち、昇降位置検出手段にて刈取処理装置が設定高さよりも下降側の刈取処理高さに位置し、且つ、操作位置検出手段にて走行変速操作具がニュートラル位置以外の位置に位置する又はニュートラル位置及びそのニュートラル位置の近傍範囲以外の位置に位置すると、刈取作業開始条件が満たされたと判別することにより、制御手段が切換操作用駆動手段を作動させて、刈取クラッチを入り状態にすることになる。
【００１８】
このように、刈取処理装置が設定高さよりも下降側の刈取処理高さに位置し、且つ、走行変速操作具がニュートラル位置以外の位置に位置する又はニュートラル位置及びそのニュートラル位置の近傍範囲以外の位置に位置すると、刈取作業開始条件が満たされたと判別することにより、刈取クラッチを入り状態にすることができるものであるから、刈取処理装置を刈取処理を行なうときの適正な刈高さに位置させた状態で良好に刈取作業を行なうことができる。又、刈取処理装置が設定高さよりも下降側の刈取処理高さに位置し、且つ、走行変速操作具がニュートラル位置以外の位置に位置する又はニュートラル位置及びそのニュートラル位置の近傍範囲以外の位置に位置すると、言い換えると、走行あるいは設定速度以上の速度で走行すると、刈取作業開始条件が満たされたと判別することにより、刈取クラッチを入り状態にすることができるものであるから、停止あるいは設定速度以下の速度で走行するときには、刈取クラッチを入り状態にすることはないため、運転起動状態において、コンバインが停止あるいは設定速度以下の速度で走行中に、誤って刈取処理装置を設定高さよりも下降側の刈取処理高さに位置させたとしても、刈取処理装置を不測に駆動させるといった不都合が無い。
したがって、良好に刈取作業を行なうことができ、コンバインが停止あるいは設定速度以下の速度で走行中に、刈取処理装置が不測に駆動されることを防止することができるコンバインの駆動制御装置を得るに至った。
【００１９】
本発明の第４特徴構成は、上記第１又は第２特徴構成に加えて、前記運転操作状態検出手段が、前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、前記制御手段が、前記刈取処理装置が設定高さよりも下降側の刈取処理高さに位置し、且つ、前記走行変速操作具が前進側範囲の位置又は前進側範囲でかつ設定速度以上の高速側の範囲に位置すると、前記刈取作業開始条件が満たされたと判別するように構成されている点を特徴とする。
【００２０】
すなわち、昇降位置検出手段にて刈取処理装置が設定高さよりも下降側の刈取処理高さに位置し、且つ、操作位置検出手段にて走行変速操作具が前進側範囲の位置又は前進側範囲でかつ設定速度以上の高速側の範囲に位置すると、刈取作業開始条件が満たされたと判別することにより、制御手段が切換操作用駆動手段を作動させて、刈取クラッチを入り状態にすることになる。
【００２１】
このように、刈取処理装置が設定高さよりも下降側の刈取処理高さに位置し、且つ、走行変速操作具が前進側範囲の位置又は前進側範囲でかつ設定速度以上の高速側の範囲に位置すると、刈取作業開始条件が満たされたと判別することにより、刈取クラッチを入り状態にすることができるものであるから、刈取処理装置を刈取処理を行なうときの適正な刈高さに位置させた状態で良好に刈取作業を行なうことができる。又、刈取処理装置が設定高さよりも下降側の刈取処理高さに位置し、且つ、走行変速操作具が前進側範囲の位置又は前進側範囲でかつ設定速度以上の高速側の範囲に位置すると、言い換えると、前進走行あるいは設定速度以上の速度で前進走行すると、刈取作業開始条件が満たされたと判別することにより、刈取クラッチを入り状態にすることができるものであるから、停止、設定速度以下の速度で前進走行、及び、後進走行するときには、刈取クラッチを入り状態にすることはないため、運転起動状態において、コンバインが停止、設定速度以下の速度で前進走行、及び、後進走行中に、誤って刈取処理装置を設定高さよりも下降側の刈取処理高さに位置させたとしても、刈取処理装置を不測に駆動させるといった不都合が無い。
したがって、良好に刈取作業を行なうことができ、コンバインが停止、設定速度以下の速度で前進走行、及び、後進走行中に、刈取処理装置が不測に駆動されることを防止することができるコンバインの駆動制御装置を得るに至った。
【００２２】
本発明の第５特徴構成は、上記第１又は第２特徴構成に加えて、前記運転操作状態検出手段が、前記脱穀装置を搭載した走行機体に対して昇降操作自在に設けられた前記刈取処理装置の昇降位置を検出する昇降位置検出手段を備えて構成され、前記制御手段が、前記刈取処理装置が設定高さよりも下降側の刈取処理高さに位置すると、前記刈取作業開始条件が満たされたと判別するように構成されている点を特徴とする。
【００２３】
すなわち、昇降位置検出手段にて刈取処理装置が設定高さよりも下降側の刈取処理高さに位置すると、刈取作業開始条件が満たされたと判別することにより、制御手段が切換操作用駆動手段を作動させて、刈取クラッチを入り状態にすることになる。
【００２４】
このように、刈取処理装置が設定高さよりも下降側の刈取処理高さに位置すると、刈取作業開始条件が満たされたと判別することにより、刈取クラッチを入り状態にすることができるものであるから、刈取処理装置を刈取処理を行なうときの適正な刈高さに位置させた状態で良好に刈取作業を行なうことができる。
したがって、良好に刈取作業を行なうことができるコンバインの駆動制御装置を得るに至った。
【００２５】
本発明の第６特徴構成は、上記第１又は第２特徴構成に加えて、前記運転操作状態検出手段が、走行変速操作具の変速操作位置を検出する操作位置検出手段を備えて構成され、前記制御手段が、前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている点を特徴とする。
【００２６】
すなわち、操作位置検出手段にて走行変速操作具がニュートラル位置以外の位置に位置する又はニュートラル位置及びそのニュートラル位置の近傍範囲以外の位置に位置すると、刈取作業開始条件が満たされたと判別することにより、制御手段が切換操作用駆動手段を作動させて、刈取クラッチを入り状態にすることになる。
【００２７】
このように、刈取処理装置が設定高さよりも下降側の刈取処理高さに位置し、且つ、走行変速操作具がニュートラル位置以外の位置に位置する又はニュートラル位置及びそのニュートラル位置の近傍範囲以外の位置に位置すると、刈取作業開始条件が満たされたと判別することにより、刈取クラッチを入り状態にすることができるものであるから、刈取処理装置を刈取処理を行なうときの適正な刈高さに位置させた状態で良好に刈取作業を行なうことができる。又、刈取処理装置が設定高さよりも下降側の刈取処理高さに位置し、且つ、走行変速操作具がニュートラル位置以外の位置に位置する又はニュートラル位置及びそのニュートラル位置の近傍範囲以外の位置に位置すると、言い換えると、設定速度以上の速度で走行すると、刈取作業開始条件が満たされたと判別することにより、刈取クラッチを入り状態にすることができるものであるから、停止あるいは設定速度以下の速度で走行するときには、刈取クラッチを入り状態にすることはないため、運転起動状態において、コンバインが停止あるいは設定速度以下の速度で走行中に、誤って刈取処理装置を設定高さよりも下降側の刈取処理高さに位置させたとしても、刈取処理装置を不測に駆動させるといった不都合が無い。
したがって、良好に刈取作業を行なうことができ、コンバインが停止あるいは設定速度以下の速度で走行中に、刈取処理装置が不測に駆動されることを防止することができるコンバインの駆動制御装置を得るに至った。
【００２８】
本発明の第７特徴構成は、上記第１又は第２特徴構成に加えて、前記運転操作状態検出手段が、走行変速操作具の変速操作位置を検出する操作位置検出手段を備えて構成され、前記制御手段が、前記走行変速操作具が前進側範囲の位置又は前進側範囲でかつ設定速度以上の高速側の範囲に位置すると、前記刈取作業開始条件が満たされたと判別するように構成されている点を特徴とする。
【００２９】
すなわち、操作位置検出手段にて走行変速操作具が前進側範囲の位置又は前進側範囲でかつ設定速度以上の高速側の範囲に位置すると、刈取作業開始条件が満たされたと判別することにより、制御手段が切換操作用駆動手段を作動させて、刈取クラッチを入り状態にすることになる。
【００３０】
このように、刈取処理装置が設定高さよりも下降側の刈取処理高さに位置し、且つ、走行変速操作具が前進側範囲の位置又は前進側範囲でかつ設定速度以上の高速側の範囲に位置すると、言い換えると、前進走行あるいは設定速度以上の速度で前進走行すると、刈取作業開始条件が満たされたと判別することにより、刈取クラッチを入り状態にすることができるものであるから、停止、設定速度以下の速度で前進走行、及び、後進走行するときには、刈取クラッチを入り状態にすることはないため、運転起動状態において、コンバインが停止、設定速度以下の速度で前進走行、及び、後進走行中に、誤って刈取処理装置を設定高さよりも下降側の刈取処理高さに位置させたとしても、刈取処理装置を不測に駆動させるといった不都合が無い。
したがって、コンバインが停止、設定速度以下の速度で前進走行、及び、後進走行中に、刈取処理装置が不測に駆動されることを防止することができるコンバインの駆動制御装置を得るに至った。
【００３１】
本発明の第８特徴構成は、上記第１〜第７のいずれかの特徴構成に加えて、電源回路を切るオフ状態及び前記電源回路を入れるオン状態に切換操作自在なメインスイッチが設けられ、前記制御手段が、前記メインスイッチが前記オフ状態から前記オン状態に切り換えられると、前記アクセル手段を前記アイドリング状態に且つ前記脱穀クラッチ及び前記刈取クラッチを前記切り状態にすべく、前記切換操作用駆動手段の作動を制御するように構成されている点を特徴とする。
【００３２】
すなわち、例えば、作業中にエンジンが停止する等により、脱穀クラッチ又は刈取クラッチが入り状態を維持した状態でメインスイッチがオフ状態からオン状態に切り換えられたとしても、メインスイッチがオフ状態からオン状態に切り換えられると、切換操作用駆動手段にてアクセル手段をアイドリング状態に且つ脱穀クラッチ及び刈取クラッチを切り状態に切り換えることにより、エンジンを確実に始動させることができる。又、メインスイッチがオフ状態からオン状態に切り換えられると、切換操作用駆動手段にてアクセル手段をアイドリング状態に且つ脱穀クラッチ及び刈取クラッチを切り状態に切り換えることにより、エンジンが始動されたときに脱穀装置及び刈取処理装置が不測に駆動される不都合が無いものとなる。
したがって、エンジンを確実に始動させることができ、エンジンが始動されたときに脱穀装置及び刈取処理装置が不測に駆動される不都合を防止することができるコンバインの駆動制御装置を得るに至った。
【００３３】
本発明の第９特徴構成は、上記第１〜第７特徴構成のいずれか１つの特徴構成に加えて、前記切換操作用駆動手段が、単一のアクチュエータにて、前記脱穀クラッチ、前記刈取クラッチ、及び、前記アクセル手段を操作するように構成されている点を特徴とする。
【００３４】
すなわち、切換操作用駆動手段が、単一のアクチュエータにて、脱穀クラッチ、刈取クラッチ、及び、アクセル手段を操作するから、脱穀クラッチ、刈取クラッチ、及び、アクセル手段を操作する構成を兼用して、構成の簡素化を図ることができる。
したがって、構成の簡素化を図ることができるコンバインの駆動制御装置を得るに至った。
【発明を実施するための最良の形態】
【００３５】
〔第１実施形態〕
以下、本発明に係るコンバインの駆動制御装置について図面に基づいて説明する。
図１にコンバインの全体側面が示されており、このコンバインは、左右一対のクローラ式の走行装置１Ｌ、１Ｒの駆動により走行機体２が走行自在に構成され、その走行機体２の前部に、圃場の植立穀稈を刈り取り、刈り取った穀稈を後方に搬送する刈取処理装置３が横軸芯Ｘ周りに揺動自在に設けられ、走行機体２に、刈取処理装置３にて刈り取られた刈取穀稈を受け取って脱穀および選別処理する脱穀装置４と、脱穀装置４にて脱穀および選別処理することにより得られた穀粒を貯留する穀粒タンク５とが搭載されるとともに、穀粒タンク５の前方箇所に搭乗運転部６が形成されている。そして、走行機体２と刈取処理装置３との間には昇降用油圧シリンダ３２が介装されており、その昇降用油圧シリンダ３２の伸縮操作により刈取処理装置３が走行機体２に対して昇降操作されるようになっている。尚、横軸芯Ｘには、刈取処理装置３の走行機体２に対する昇降位置を検出する昇降位置検出手段としての対機体高さセンサ３３が設けられている。
【００３６】
次にこのコンバインの伝動構造について説明する。
図２、図３に示すように、エンジンＥの動力が伝動ベルト１４及び伝動プーリ１５を介して直進用の無段変速装置７と旋回用の無段変速装置８に伝達され、これら無段変速装置７、８の変速出力は、ミッションケース９を経由して、走行装置１Ｒ、１Ｌの夫々に伝達されている。又、これら無段変速装置７、８のうち直進用の無段変速装置７の変速出力は、ミッションケース９を経由した後、刈取クラッチ１０を介して刈取処理装置３に伝達され、刈取クラッチ１０には、その入り切りを検出する刈取センサ１１が付設されている。又、エンジンＥの動力は、脱穀クラッチ１２を介して脱穀装置４に伝達され、脱穀クラッチ１２には、その入り切り状態を検出する脱穀センサ１３が付設されている。
【００３７】
前記直進用の無段変速装置７と旋回用の無段変速装置８は、コンバインの走行機体に搭載されているエンジンからの動力によって駆動される可変油圧ポンプ７Ａ、８Ａと、その可変油圧ポンプ７Ａ、８Ａからの供給油で回転駆動される油圧モータ７Ｂ、８Ｂとの対で構成された周知構造の静油圧式無段変速装置（ＨＳＴ）によって構成されている。ちなみに、エンジンＥの動力は、伝動ベルト１４及び伝動プーリ１５を介して可変油圧ポンプ７Ａ、８Ａの伝動軸１６に伝達される。
【００３８】
前記ミッションケース９は、その内部に、前記直進用の無段変速装置７の出力軸１７と、前記旋回用の無段変速装置８の出力軸１８との夫々が内挿され、これら両出力軸１７、１８からの変速出力が左右一対の走行装置１Ｒ、１Ｌに伝達される一方、直進用の無段変速装置７の出力軸１７からの変速出力が刈取処理装置３に伝達される構成となっている。尚、前記旋回用の無段変速装置８の出力軸１８には、右側出力ギヤ１８ａと左側出力ギヤ１８ｂとが固着されている。
【００３９】
前記直進用の無段変速装置７の出力軸１７には、副変速用の大小一対の出力ギヤ１７ａ、１７ｂ及び刈取部駆動用の出力ギヤ１７ｃが固着されている。副変速軸１９には、前記出力ギヤ１７ａ、１７ｂが常時噛合する副変速用の小径ギヤ１９ａと大径ギヤ１９ｂとが相対回転自在に支持され、その両ギヤ１９ａ、１９ｂの中間位置に、副変速軸１９と一体回転する副変速用シフトギヤ１９ｄが軸芯方向で摺動自在に外嵌されている。図示しない副変速レバー４０により副変速用シフトギヤ１９ｄを摺動操作することで高低２段に切換自在な走行用の副変速装置Ｄが構成されている。そして、副変速軸１９には出力ギヤ１９ｅが固着されており、この出力ギヤ１９ｅに対して、支持軸２０に一体に設けたセンターギヤ２１が常時噛合する状態で設けられている。
【００４０】
前記支持軸２０には、センターギヤ２１を挾む両側に、伝動状態切換手段Ａが設けられており、この伝動状態切換手段Ａは、前記左側出力ギヤ１８ａに常時かみ合いの左側外周ギヤ部２２ａを備えた左側の多板式の摩擦クラッチ２２と、前記右側出力ギヤ１８ｂに常時噛み合いの右側外周ギヤ部２２ｂを備えた右側の多板式の摩擦クラッチ２２と、前記センターギヤ２１の両側面とこれに対向するシフトギヤ２３との間に形成された左右一対の噛み合いクラッチ２４、２４とで構成されている。
【００４１】
左側の摩擦クラッチ２２により、旋回用の無段変速装置８と左側の走行装置１Ｌとの間の伝動を遮断する状態に切り換え可能な左側のクラッチが構成され、右側の摩擦クラッチ２２により、旋回用の無段変速装置８と右側の走行装置１Ｒとの間の伝動を遮断する状態に切り換え可能な右側のクラッチが構成されている。
【００４２】
前記左右のシフトギヤ２３は、回転軸芯方向にシフト操作自在であって、シフト操作することにより噛み合いクラッチ２４が噛み合って伝動入りとなる状態と、噛み合いクラッチ２４が噛み合わない伝動を遮断する状態とに切り換え自在に構成され、また、シフトギヤ２３における摩擦板が摩擦クラッチ２２の本体部に対してシフト移動自在に構成されており、多板式の摩擦クラッチ２２が圧接して伝動入りとなる状態と、多板式の摩擦クラッチ２２が圧接しない伝動を遮断した状態とに切り換え自在に構成されている。
【００４３】
つまり、左右一対の走行装置１Ｌ、１Ｒへの動力伝達は、噛み合いクラッチ２４が噛み合った伝動入り状態では、直進用の無断変速装置７からの動力が伝達され、摩擦クラッチ２２が圧接した伝動入り状態では、旋回用の無断変速装置８からの動力が伝達され、噛み合いクラッチ２４と摩擦クラッチ２２の両方が伝動入り状態であれば、直進用の無段変速装置７と旋回用の無段変速装置８との両方からの動力が伝達され、噛み合いクラッチ２４と摩擦クラッチ２２の両方が伝動遮断状態であれば、直進用の無段変速装置７と旋回用の無段変速装置８とのどちらからも動力が伝達されないように構成されている。
【００４４】
前記左右のシフトギヤ２３、２３は夫々、押圧スプリング２５、２５による押圧力にて噛み合いクラッチ２４、２４が噛み合う伝動入り状態に付勢されており、左右のシフトギヤ２３、２３の夫々を押圧スプリング２５、２５による押圧力に抗して遮断用油圧シリンダ２６Ｌ、２６Ｒでシフト操作することにより、噛み合いクラッチ２４、２４が噛み合わない伝動遮断状態に切り換え操作可能に構成されている。
【００４５】
そして、この伝動遮断状態において、操向用油圧シリンダ２７Ｌ、２７Ｒでシフトギヤ２３における摩擦板をシフト操作することにより、摩擦クラッチ２２、２２が圧接する伝動入り状態に切り換え操作可能に構成されている。そして、この操向用油圧シリンダ２７Ｌ、２７Ｒおよび遮断用油圧シリンダ２６Ｌ、２６Ｒの操作は、操向用電磁弁２９Ｌ、２９Ｒおよび遮断用電磁弁２８Ｌ、２８Ｒを切り換えることにより行うように構成されている。
シフトギヤ２３からはファイナルギヤ３０を介して左右一対の走行装置１Ｌ、１Ｒに伝達される。このシフトギヤ２３は、噛み合いクラッチ２４が噛み合いしているときも噛み合いしていないときも常時走行装置への伝動系の中継ギヤ３１に噛合するように構成されている。
【００４６】
これにより、左右の噛み合いクラッチ２４を伝動入り状態に切り換え、左右の摩擦クラッチ２２を伝動遮断状態に切り換えることで、直進用伝動状態となり、右の噛み合いクラッチ２４を伝動入り状態に切り換え、右の摩擦クラッチ２２を伝動遮断状態に切り換え、左の噛み合いクラッチ２４を伝動遮断状態に切り換え、左の摩擦クラッチ２２を伝動入り状態に切り換えることで、左旋回用伝動状態となり、右の噛み合いクラッチ２４を伝動遮断状態に切り換え、右の摩擦クラッチ２２を伝動入り状態に切り換え、左の噛み合いクラッチ２４を伝動入り状態に切り換え、左の摩擦クラッチ２２を伝動遮断状態に切り換えることで、右旋回用伝動状態となり、左右の噛み合いクラッチ２４を伝動遮断状態に切り換え、左右の摩擦クラッチ２２を伝動遮断状態に切り換えることで、中立状態となるように構成されている。
【００４７】
図４〜図１０に示すように、エンジンＥを設定定格回転数にて回転させる定格回転状態とエンジンＥをアイドリング回転数にて回転させるアイドリング状態とに切り換え自在なアクセル手段としての速度調整レバー４２がエンジンＥに設けられ、刈取クラッチ１０及び脱穀クラッチ１２の入り状態と切り状態との切換操作及び速度調整レバー４２の定格回転状態とアイドリング状態との切換操作を行う切換操作用駆動手段としてのアクチュエータである切換操作用モータＭが設けられている。そして、単一の切換操作用駆動モータＭにて、脱穀クラッチ１２、刈取クラッチ１０、及び、速度調整レバー４２を操作するように構成されている。
【００４８】
説明を加えると、切換操作用モータＭの回動操作に伴って速度調整レバー４２、刈取クラッチ１０、脱穀クラッチ４の夫々を連動操作する連動操作部Ｂが、搭乗運転部６の運転席４３の横側に位置する状態で設けられている。連動操作部Ｂは、切換操作用モータＭのピニオンギヤ４７と噛み合うセクターギヤ４４と、アクセルレバー４５を切り位置から入り位置に押圧作用するとともに速度調整レバー４２をアイドリング状態から定格回転状態に切り換え操作するアクセルレバー操作用カム４６と、脱穀クラッチ１２を切り換え操作する脱穀クラッチ操作用リンク部４８と、刈取クラッチ１０を切り換え操作する刈取クラッチ操作用リンク部４９とを備えて構成されている。搭乗運転部６に固定されている略直方体形状の枠部５０が備える取り付け用軸部５１に、回動ボス部５２が回動自在に取り付けられ、その回動ボス部５２に、セクターギヤ４４、アクセルレバー操作用カム４６、脱穀クラッチ操作用リンク部４８、及び、刈取クラッチ操作用リンク部４９が連結されている。これにより、切換操作用モータＭが駆動されると、切換操作用モータＭのピニオンギヤ４７と噛み合うセクターギヤ４４も回動されることになり、そのセクターギヤ４４の回動に伴って、アクセルレバー操作用カム４６、脱穀クラッチ操作用リンク部４８、及び、刈取クラッチ操作用リンク部４９が一体回動するように構成されている。
【００４９】
前記アクセルレバー４５は、枠部５０が備える支持用軸部５３に揺動自在に支持されている。アクセルレバー４５の先端部には握り部４５ａが設けられ、アクセルレバー４５の基端部にはカムフォロア５４が設けられるとともに速度調整レバー操作用ケーブル５５が取り付けられている。アクセルレバー４５の握り部４５ａを揺動操作してアクセルレバー４５を切り位置から入り位置に位置変更することにより、アクセルレバー４５に設けられた速度調整レバー操作用ケーブル５５を引っ張り操作して速度調整レバー４２をアイドリング状態から定格回転状態に切り換えるようになっている。ちなみに、アクセルレバー４５の握り部４５ａを揺動操作しないときには、図示しないバネの付勢力により速度調整レバー４２を定格回転状態からアイドリング状態に切り換えるようになっている。
【００５０】
前記アクセルレバー操作用カム４６は、円板の一部を切り欠いた半月に近い板状に構成され、その切り欠き部にカム面４６ａが形成されている。そして、アクセルレバー操作用カム４６の回動に伴ってカム面４６ａがアクセルレバー４５に設けられたカムフォロア５４に押圧作用してアクセルレバー４５を切り位置から入り位置に位置変更することにより、速度調整レバー操作用ケーブル５５を引っ張り操作して速度調整レバー４２をアイドリング状態から定格回転状態に切り換えるようになっている。
【００５１】
前記脱穀クラッチ操作用リンク部４８は、回動ボス部５２に固定された脱穀クラッチ操作用取り付け板５６、及び、脱穀クラッチ操作用取り付け板５６に連結ピンを介して相対回動自在に連結され且つ脱穀クラッチ操作用ケーブル５７が取り付けられた脱穀クラッチ操作用Ｌ字リンク５８を備えて構成され、刈取クラッチ操作用リンク部４９は、回動ボス部５２に固定された刈取クラッチ操作用取り付け板５９、及び、刈取クラッチ操作用取り付け板５９に連結ピンを介して相対回動自在に連結され且つ刈取クラッチ操作用ケーブル６０が取り付けられた刈取クラッチ操作用Ｌ字リンク６１を備えて構成されている。
そして、回動ボス部５２の回動に伴って、脱穀クラッチ操作用取り付け板５６が回動ボス部５２に固定されている基端部を揺動支点として揺動し、脱穀クラッチ操作用取り付け板５６に相対回動自在に連結されている脱穀クラッチ操作用Ｌ字リンク５８に取り付けられている脱穀クラッチ操作用ケーブル５７を引っ張り操作して脱穀クラッチ１２を入り状態に切り換え、又、回動ボス部５２の回動に伴って、刈取クラッチ操作用取り付け板５９が回動ボス部５２に固定されている基端部を揺動支点として揺動し、刈取クラッチ操作用取り付け板５９に相対回動自在に連結されている刈取クラッチ操作用Ｌ字リンク６１に取り付けられている刈取クラッチ操作用ケーブル６０を引っ張り操作して脱穀クラッチ１２を入り状態に切り換えるようになっている。
【００５２】
前記切換操作用モータＭを正逆回転駆動すると、連動操作部Ｂを取り付け用軸部５１の軸芯周りで正逆回転させて、図７に示す走行停止位置と、図８に示す走行位置と、図９に示す脱穀位置と、図１０に示す刈取作業位置とに切り換え操作する構成となっている。
説明を加えると、図７に示すように、連動操作部Ｂが走行停止位置に位置する場合において、アクセルレバー操作用カム４６のカム面４６ａがカムフォロア５４に当接することにより、アクセルレバー４５を切り位置に維持し、速度調整レバー４２をアイドリング状態に維持する。ちなみに、この走行停止位置において、脱穀クラッチ１２及び刈取クラッチ１０の両方とも切り状態になっている。
【００５３】
図８に示すように、切換操作用モータＭを正回転駆動させることにより、連動操作部Ｂが走行停止位置から走行位置に位置変更する場合において、アクセルレバー操作用カム４６のカム面４６ａがカムフォロア５４に押圧作用することにより、アクセルレバー４５を切り位置から入り位置に切り換え、速度調整レバー４２をアイドリング状態から定格回転状態に切り換える。ちなみに、この走行位置において、脱穀クラッチ１２及び刈取クラッチ１０の両方とも切り状態になっている。
【００５４】
図９に示すように、切換操作用モータＭを正回転駆動させることにより、連動操作部Ｂが走行位置から脱穀位置に位置変更する場合において、アクセルレバー操作用カム４６の外周面４６ｂがカムフォロア５４に当接することにより、アクセルレバー４５を入り位置に維持し、速度調整レバー４２を定格回転状態に維持する。刈取クラッチ操作用取り付け板５９が刈取クラッチ操作用ケーブル６０の延びる方向にほぼ直交する方向に揺動するので、刈取クラッチ操作用取り付け板５９に相対回動自在に連結されている刈取クラッチ操作用Ｌ字リンク６１に取り付けられている刈取クラッチ操作用ケーブル６０を引っ張り操作することがほとんど無く、刈取クラッチ１０を切り位置に維持する。脱穀クラッチ操作用取り付け板５６が脱穀クラッチ操作用ケーブル５７の延びる方向に揺動するので、脱穀クラッチ操作用取り付け板５６に相対回動自在に連結されている脱穀クラッチ操作用Ｌ字リンク５８に取り付けられている脱穀クラッチ操作用ケーブル５７を引っ張り操作して、脱穀クラッチ１２を切り状態から入り状態に切り換える。
【００５５】
図１０に示すように、切換操作用モータＭを正回転駆動させることにより、連動操作部Ｂが脱穀位置から刈取作業位置に位置変更する場合において、アクセルレバー操作用カム４６の外周面４６ｂがカムフォロア５４に当接することにより、アクセルレバー４５を入り位置に維持し、速度調整レバー４２を定格回転状態に維持する。刈取クラッチ操作用取り付け板５９が刈取クラッチ操作用ケーブル６０の延びる方向に揺動するので、刈取クラッチ操作用取り付け板５９に相対回動自在に連結されている刈取クラッチ操作用Ｌ字リンク６１に取り付けられている刈取クラッチ操作用ケーブル６０を引っ張り操作して、刈取クラッチ１０を切り位置から入り状態に切り換える。脱穀クラッチ操作用取り付け板５６が脱穀クラッチ操作用ケーブル５７の延びる方向にほぼ直交する方向に揺動するので、脱穀クラッチ操作用取り付け板５６に相対回動自在に連結されている脱穀クラッチ操作用Ｌ字リンク５８に取り付けられている脱穀クラッチ操作用ケーブル５７を引っ張り操作することがほとんど無く、脱穀クラッチ１２を入り状態に維持する。
尚、切換操作用モータＭを逆回転駆動させることにより、連動操作部Ｂが刈取作業位置から走行停止位置に位置変更する場合において、バネの付勢力により速度調整レバー４２を定格回転状態からアイドリング状態に切り換え、アクセルレバー４５を入り位置から切り位置に位置変更する。
【００５６】
以上の構成により、連動操作部Ｂを取り付け用軸部５１の軸芯周りで正回転させることにより、速度調整レバー４２がアイドリング状態、脱穀クラッチ１２及び刈取クラッチ１０が切り状態となる走行停止位置、速度調整レバー４２が定格回転状態、脱穀クラッチ１２及び刈取クラッチ１０が切り状態となる走行位置、速度調整レバー４２が定格回転状態、脱穀クラッチ１２が入り状態、刈取クラッチ１０が切り状態となる脱穀位置、速度調整レバー４２が定格回転状態、脱穀クラッチ１２が入り状態、刈取クラッチ１０が入り状態となる刈取作業位置に順次切り換え操作する構成となっている。ちなみに、連動操作部Ｂが走行停止位置に位置する状態において、アクセルレバー４５を操作することにより、速度調整レバー４２をアイドリング状態から定格回転状態に切り換えることができるようになっている。
【００５７】
前記搭乗運転部６には、停止を指令するニュートラル位置Ｎ、そのニュートラル位置Ｎに隣接位置して前進を指令する前進側範囲、及び、そのニュートラル位置Ｎに隣接位置して後進を指令する後進側範囲にわたり移動操作自在であり、その前進側範囲及び後進側範囲における移動操作により走行速度を指令する手動操作式の主変速レバー６９、直進を指令する直進指令位置、その直進指令位置に隣接位置して左旋回を指令する左旋回指令範囲、及び、その直進指令位置に隣接位置して右旋回を指令する右旋回指令範囲にわたり移動操作自在であり、その左旋回指令範囲及び右旋回指令範囲における左右方向の移動操作によりコンバインの直進、左旋回、及び、右旋回を指令するとともに、刈取処理装置３の停止を指令する昇降停止指令位置、その昇降停止指令位置に隣接位置して刈取処理装置３の上昇を指令する上昇指令範囲、及び、その昇降停止指令位置に隣接位置して刈取処理装置３の下降を指令する下降指令範囲にわたり移動操作自在であり、その上昇指令範囲及び下降指令範囲における前後方向の移動操作により刈取処理装置３の停止、上昇、及び、下降を指令する十字操作式の操作レバー７０、ダイヤル操作により旋回モードを３段階に切り換える旋回モード切換え操作具７３、操作レバーの上部に位置して親指にて押し操作される自動昇降スイッチ７５、速度調整レバー４２を入り位置と切り位置とに切り換え操作するアクセルレバー４５、作業指令手段Ｉとしての非操作状態に自動復帰する押し操作式の作業開始指令用操作スイッチ７１、作業停止指令用操作スイッチ７２、キー操作により図示しない電源回路を切るオフ状態、及び、電源回路を入れるオン状態に切り換え操作自在なメインスイッチ７６等が設けられている。
そして、前記直進用の無段変速装置７は、中立位置から正転方向並びに逆転方向夫々について無段階に変速操作可能な構成となっており、搭乗運転部６に設けられた走行変速操作具としての主変速レバー６９の手動操作により変速操作を行なえるようになっている。
【００５８】
説明を加えると、この主変速レバー６９は、中立位置から前後方向に沿って所定の前後操作範囲にわたり手動操作によって揺動可能に構成されている。そして、図１１に示すように、可変油圧ポンプ７Ａの直進用斜板７７が油圧サーボ機構ＳＶを介して主変速レバー６９に連係され、主変速レバー６９の操作指令に基づいて直進用斜板７７の角度を変更することにより油圧モータ７Ｂ側の出力状態を無段階に変更するように構成されている。つまり、主変速レバー６９に対する手動操作があれば、その操作に対して油圧サーボ機構ＳＶの作用により油圧操作力にてアシスト操作を行うことにより変速操作を軽く操作することができる構成となっている。尚、主変速レバー６９の基端部には操作位置検出手段としての主変速レバーセンサ８６が設けられ、主変速レバー６９の操作位置を検出できるようになっている。
【００５９】
そして、図１２に示すように、主変速レバー６９がニュートラル位置Ｎにあり中立状態が指令されていると、前記直進用斜板７７が中立状態となり油圧モータ７Ｂは回転せず停止状態に維持される。主変速レバー６９がニュートラル位置Ｎから前進側範囲に移動操作されて前進が指令されていると、主変速レバー６９の操作指令に応じて油圧サーボ機構ＳＶによって直進用斜板７７の角度が正転方向（前進増速方向）に油圧操作力によって主変速レバー６９による指令量だけ傾倒操作され、油圧モータ７Ｂが指令に応じた速度で正転方向に回転駆動されるように変速操作される構成となっている。
【００６０】
主変速レバー６９がニュートラル位置Ｎから後進側範囲に移動操作されて後進が指令されていると、主変速レバー６９の操作指令に応じて油圧サーボ機構ＳＶによって直進用斜板７７の角度が逆転方向（後進増速方向）に油圧操作力によって主変速レバー６９による指令量だけ傾倒操作され、油圧モータ７Ｂが指令に応じた速度で逆転方向に回転駆動されるように変速操作される構成となっている。
【００６１】
前記旋回用の無段変速装置８も前記直進用の無段変速装置７と同様に、正転方向並びに逆転方向夫々について無段階に変速操作可能な構成となっており、油圧式の変速操作手段ＨＳにより変速操作を行なえるようになっている。
説明を加えると、可変油圧ポンプ８Ａの旋回用斜板７８が油圧式の変速操作手段ＨＳに連係され、この変速操作手段ＨＳにより斜板角を変更することにより油圧モータ８Ｂ側の出力状態を変更するように構成されている。この変速操作手段ＨＳは、図１１に示すように、旋回用の無段変速装置８における旋回用斜板７８に連動連結された複動型の変速用油圧シリンダ７９と、この変速用油圧シリンダ７９に対する作動油の給排状態を切り換え操作する変速用油圧制御ユニットＶＵ１とを備えて構成されている。前記変速用油圧シリンダ７９は、中立位置から正方向並びに逆方向夫々に操作自在な複動型に構成されており、内装される左右一対のバネ７９ａ、７９ｂの付勢力により中立位置に復帰付勢される構成となっている。
【００６２】
前記直進用の無段変速装置７及び前記旋回用の無段変速装置８の変速動作について説明を加えると、斜板７７、７８の変速位置がニュートラル位置Ｎを含む所定幅を有する中立域にあれば変速出力（走行速度）は零となり、斜板７７、７８の変速位置がその中立域から所定方向に回動操作されると前進方向への走行速度が無段階に増速操作され、斜板７７、７８が中立域から所定方向と反対方向に操作されると後進方向への走行速度が無段階に増速操作される構成となっている。
【００６３】
図１１に示すように、その操作レバー７０の左右方向の操作位置を検出する旋回センサ８１及び前後方向の操作位置を検出する昇降センサ８２、一対の無段変速装置７、８夫々の出力回転速度を前記出力ギヤ１９ｅ及び右側出力ギヤ１８ａの歯数をカウントすることにより検出する回転センサ９２、９３、前記直進用の無段変速装置７の直進用斜板７７の斜板角を検出するポテンショメータ式の直進用変速位置センサ９４、前記旋回用の無段変速装置８の旋回用斜板７８の斜板角を検出するポテンショメータ式の旋回用変速位置センサ９５、旋回モード切換え操作具７３の操作位置を検出するモードセンサ９６、作業開始指令用操作スイッチ７１、作業停止指令用操作スイッチ７２、メインスイッチ７６、自動昇降スイッチ７５、対機体高さセンサ３３、主変速レバー６９の変速操作位置を検出する操作位置検出手段としての主変速レバーセンサ８６が備えられ、これらの入力情報に基づいて変速操作手段ＨＳ、操向用油圧シリンダ２７Ｒ、２７Ｌ、遮断用油圧シリンダ２６Ｒ、２６Ｌ、切換操作用モータＭ、昇降用油圧制御ユニットＶＵ２の動作、及び、作業開始指令用操作スイッチ７１、作業停止指令用操作スイッチ７２の点灯を制御する制御手段としてのマイクロコンピュータ利用の制御手段としての制御装置Ｈが備えられている。
【００６４】
そして、直進用変速位置センサ９４は、直進用の無断変速装置７における直進用斜板７７の角度（傾倒位置）に応じた電圧が出力されるものであり、その電圧がＡ／Ｄ変換されて直進用検出値として制御装置Ｈに入力され、旋回用変速位置センサ９５は、旋回用の無断変速装置８における旋回用斜板７８の角度（傾倒位置）に応じた電圧が出力されるものであり、その電圧がＡ／Ｄ変換されて旋回用検出値として制御装置Ｈに入力されるように構成されている。
【００６５】
前記制御装置Ｈによる旋回制御について説明を加えると、前記直進用の無段変速装置７を変速操作する油圧サーボ機構ＳＶと、旋回用の無段変速装置８を変速操作する変速操作手段ＨＳの変速用油圧シリンダ７９と、変速操作手段ＨＳの作動を制御し、操作レバー７０にて指令された走行状態となるように伝動状態切換手段Ａを切り換え操作する制御装置Ｈとが備えられ、その制御装置Ｈが、操作レバー７０にて直進が指令されるときには、直進用の無段変速装置７を、主変速レバー６９にて指令された走行速度になるように変速操作し、且つ、旋回用の無段変速装置８を、直進用の無段変速装置７の回転速度を検出する回転センサ５９の検出速度と同じ速度になるように変速操作する直進制御処理を実行し、及び、操作レバー７０にて左旋回及び右旋回が指令されたときには、直進用の無段変速装置７を、主変速レバー６９にて指令された走行速度になるように変速操作し、且つ、旋回用の無段変速装置８を旋回用の目標速度になるように変速操作する旋回制御処理を実行するように構成されている。
【００６６】
又、前記油圧サーボ機構ＳＶが、直進用の無段変速装置７を、主変速レバー６９にて操作位置の変化として指令される走行速度になるように変速操作するように構成され、変速操作手段ＨＳ、及び、変速操作手段ＨＳの作動を制御する制御装置Ｈが、旋回用の無段変速装置８を、回転センサ９２の検出速度と同じ速度になるように変速用油圧シリンダ７９にて変速操作するように構成されている。
【００６７】
前記制御装置Ｈによる刈取処理装置３の昇降制御について説明を加えると、操作レバー７０が、昇降停止指令位置に位置すると、刈取処理装置３の昇降を停止させるように昇降用油圧制御ユニットＶＵ２を切換制御し、操作レバー７０が、上昇指令範囲に位置すると、昇降停止指令位置から操作レバー７０が離れて位置するほど高速となる形態で刈取処理装置３を上昇させるように昇降用油圧制御ユニットＶＵ２を切換制御し、操作レバー７０が、下降指令範囲に位置すると、昇降停止指令位置から操作レバー７０が離れて位置するほど高速となる形態で刈取処理装置３を下降させるように昇降用油圧制御ユニットＶＵ２を切換制御する。そして、刈取処理装置３が、対機体高さセンサ３３により設定高さよりも下降側の刈取処理高さにあることが検出されているときに、自動昇降スイッチ７５が押し操作されると、刈取処理装置３を最大上昇位置に近い非刈取上昇位置まで上昇させるように昇降用油圧制御ユニットＶＵ２を切換制御し、対機体高さセンサ３３により非刈取上昇位置に位置することが検出されているときに、自動昇降スイッチ７５が押し操作されると、刈取処理装置３を設定高さまで下降させるように昇降用油圧制御ユニットＶＵ２を切換制御するようになっている。
尚、詳述はしないが、昇降用油圧制御ユニットＶＵ２を切換制御することにより、刈取処理装置３の昇降速度を変更するように昇降用油圧シリンダ３２の作動速度を変更調節する構成となっている。
【００６８】
前記制御装置Ｈによる速度調整レバー４２、脱穀クラッチ１２、刈取クラッチ１０の切り換え制御について説明を加えると、作業開始指令を指令する状態及び作業停止指令を指令する状態に操作自在な作業指令手段Ｉと、刈取作業開始条件が満たされているか否かを判別するための運転操作状態を検出する運転操作状態検出手段Ｊと、切換操作用駆動モータＭの作動を制御する制御装置Ｈとが設けられ、前記制御装置Ｈが、作業指令手段Ｉにて作業開始指令が指令されると、速度調整レバー４２を定格回転状態にかつ脱穀クラッチ１２を入り状態にする運転起動状態にすべく、切換操作用駆動モータＭの作動を制御するように構成され、且つ、運転起動状態において、運転操作状態検出手段Ｊの検出情報に基づいて刈取作業開始条件が満たされていることを判別すると、刈取クラッチ１０を入り状態にし、かつ、運転操作状態検出手段Ｊの検出情報に基づいて刈取作業開始条件が満たされていないことを判別すると、刈取クラッチ１０を切り状態にすべく、切換操作用駆動モータＭの作動を制御するように構成され、作業指令手段Ｉにて作業停止指令が指令されると、速度調整レバー４２を定格回転状態に維持した状態で脱穀クラッチ１２及び刈取クラッチ１０を切り状態とすべく、切換操作用駆動モータＭの作動を制御するように構成されている。
【００６９】
そして、前記運転操作状態検出手段Ｊが、前記制御装置Ｈを主要部として構成されて、その制御装置Ｈが、脱穀装置４を搭載した走行機体２に対して昇降操作自在に設けられた刈取処理装置３の昇降位置を検出する対機体高さセンサ３３、及び、主変速レバー６９の変速操作位置を検出する主変速レバーセンサ８６の検出情報に基づいて、刈取処理装置３が設定高さよりも下降側の刈取処理高さに位置し、且つ、主変速レバー６９がニュートラル位置Ｎ以外の位置に位置する又はニュートラル位置Ｎ及びそのニュートラル位置Ｎの近傍範囲以外の位置に位置すると、刈取作業開始条件が満たされたと判別するように構成されている。
【００７０】
又、電源回路を切るオフ状態及び前記電源回路を入れるオン状態に切換操作自在なメインスイッチ７６が設けられ、制御装置Ｈが、メインスイッチ７６がオフ状態からオン状態に切り換えられると、速度調整レバー４２をアイドリング状態に且つ脱穀クラッチ１２及び刈取クラッチ１０を切り状態にすべく、切換操作用駆動モータＭの作動を制御するように構成されている。
【００７１】
さらに、説明を加えると、図１４に示すように、作業開始指令用操作スイッチ７１、作業停止指令用操作スイッチ７２は、ランプ付きロック無しスイッチにて構成されている。そして、メインスイッチ７６がオフ状態からオン状態に切り換えられると、エンジンＥが始動され、連動操作部Ｂが走行停止位置に位置するように切換操作用モータＭを作動させるとともに、作業開始用指令用操作スイッチ７１、作業停止指令用操作スイッチ７２を消灯させる（図１４（ａ）参照）。これにより、速度調整レバー４２をアイドリング状態とし、刈取クラッチ１０及び脱穀クラッチ１２を切り状態とすることになる。
【００７２】
前記作業開始指令用操作スイッチ７１が押し操作されると、連動操作部Ｂが脱穀位置に位置するように切換操作用モータＭを作動させるとともに、走行開始指令用操作スイッチ７１を点灯させ、作業停止指令用操作スイッチ７２を消灯させる（図１４（ｂ）参照）。これにより、速度調整レバー４２を定格回転状態にかつ脱穀クラッチ１２を入り状態としかつ刈取クラッチ１０を切り状態にする運転起動状態になる。そして、運転起動状態において、対機体高さセンサ３３により刈取処理装置３が設定高さよりも下降側の刈取処理高さに位置することが検出され、且つ、主変速レバーセンサ８６により主変速レバー６９がニュートラル位置Ｎ又はそのニュートラル位置Ｎの近傍範囲以外の位置に位置することが検出されると、刈取開始条件が満たされたと判別して、連動操作部Ｂが刈取作業位置に位置するように切換操作用モータＭを作動させ、対機体高さセンサ３３により刈取処理装置３が設定高さよりも上昇側の非刈取処理高さに位置することが検出され、又は、主変速レバーセンサ８６により主変速レバー６９がニュートラル位置Ｎ又はそのニュートラル位置Ｎの近傍範囲の位置に位置することが検出されると、刈取開始条件が満たされていないと判別して、連動操作部Ｂが脱穀位置に位置するように切換操作用モータＭを作動させる。これにより、運転起動状態において、刈取作業開始条件が満たされていることを判別すると、速度調整レバー４２を定格回転状態にかつ脱穀クラッチ１２及び刈取クラッチ１０を入り状態にし、かつ、刈取作業開始条件が満たされていないことを判別すると、速度調整レバー４２を定格回転状態にかつ脱穀クラッチ１２を入り状態としかつ刈取クラッチ１０を切り状態にすべく、切換操作用モータＭの作動を制御することになる。ちなみに、ニュートラル位置Ｎの近傍範囲とは、走行速度が通常の作業速度よりも遅く設定された設定速度以下の低速側の範囲である。
【００７３】
前記作業停止指令用操作スイッチ７２が押し操作されると、連動操作部Ｂが走行位置に位置するように切換操作用モータＭを作動させるとともに、作業停止指令用操作スイッチ７２を点灯させ、作業開始指令用操作スイッチ７１を消灯させる（図１４（ｃ）参照）。これにより、速度調整レバー４２を定格回転状態とし、刈取クラッチ１０及び脱穀クラッチ１２を切り状態とすることになる。
【００７４】
次に、図１５のフローチャートに基づいて、速度調整レバー４２、脱穀クラッチ１２、刈取クラッチ１０の切り換え制御について説明を加えると、メインスイッチ７６がオフ状態からオン状態に切り換えられると、速度調整レバー４２をアイドリング状態にかつ刈取クラッチ１０及び脱穀クラッチ１２を切り状態とする（ステップ１）。作業開始指令用操作スイッチ７５の押し操作により作業開始指令が指令されると、速度調整レバー４２を定格回転状態にかつ脱穀クラッチ１２を入り状態としかつ刈取クラッチ１０を切り状態にする運転起動状態にする（ステップ２、３）。運転起動状態において、対機体高さセンサ３３により刈取処理装置３が設定高さよりも下降側の刈取処理高さに位置することが検出され、且つ、主変速レバーセンサ８６により主変速レバー６９がニュートラル位置Ｎ又はそのニュートラル位置Ｎの近傍範囲以外の位置に位置することが検出されると、刈取開始条件が満たされたと判別して、速度調整レバー４２を定格回転状態にかつ脱穀クラッチ１２及び刈取クラッチ１０を入り状態とする（ステップ４、５）。運転起動状態において、対機体高さセンサ３３により刈取処理装置３が設定高さよりも上昇側の非刈取処理高さに位置することが検出され、又は、主変速レバーセンサ８６により主変速レバー６９がニュートラル位置Ｎ又はそのニュートラル位置Ｎの近傍範囲の位置に位置することが検出されると、刈取開始条件が満たされていないと判別して、速度調整レバー４２を定格回転状態にかつ脱穀クラッチ１２を入り状態としかつ刈取クラッチ１０を切り状態とする（ステップ４、６）。そして、作業停止指令用操作スイッチ７２の押し操作により作業停止指令が指令されるまでの間、刈取開始条件が満たされると、速度調整レバー４２を定格回転状態にかつ脱穀クラッチ１２及び刈取クラッチ１０を入り状態とし、刈取開始条件が満たされていないと、速度調整レバー４２を定格回転状態にかつ脱穀クラッチ１２を入り状態としかつ刈取クラッチ１０を切り状態とする（ステップ４〜７）。作業停止指令用操作スイッチ７２の押し操作により作業停止指令が指令されると、速度調整レバー４２を定格回転状態にかつ脱穀クラッチ１２及び刈取クラッチ１０を切り状態とする（ステップ７、９）。作業開始指令が指令されないと、作業停止指令用操作スイッチ７２の押し操作により作業停止指令が指令されると、速度調整レバー４２を定格回転状態にかつ脱穀クラッチ１２及び刈取クラッチ１０を切り状態とし、作業停止指令が指令されないと、速度調整レバー４２、脱穀クラッチ１２、刈取クラッチ１０の状態を維持する（ステップ２、８、９）。そして、メインスイッチ７６がオン状態の間、速度調整レバー４２、脱穀クラッチ１２、刈取クラッチ１０の入切操作を繰り返すことになる（ステップ２〜１４）。
【００７５】
前記制御装置Ｈによる速度調整レバー４２、脱穀クラッチ１２、刈取クラッチ１０の切り換え制御についてコンバインの動作に基づいて説明を加えると、メインスイッチ７６をオフ状態からオン状態に切り換えると、エンジンＥが始動され、速度調整レバー４２がアイドリング状態に且つ刈取クラッチ１０及び脱穀クラッチ１２が切り状態になる。作業を開始するときには、作業開始指令用操作スイッチ７１を押し操作することにより、速度調整レバー４２を定格回転状態に且つ脱穀クラッチ１２を入り状態にする運転起動状態にする。そして、運転起動状態において、枕地を走行するときには、自動昇降スイッチ７５を押し操作して刈取処理装置３を非刈取上昇位置まで上昇させると、刈取作業開始条件が満たされていないことを判別して、刈取クラッチ１０を切り状態にする。枕地から未刈り領域に進入して作業行程での刈取作業を開始するときには、自動昇降スイッチ７５を押し操作して刈取処理装置３を刈取処理高さに下降させると、刈取処理装置３が刈取処理高さに位置し、且つ、走行速度が設定速度以上であるので、刈取作業開始条件が満たされていることを判別して、刈取クラッチ１０を入り状態にする。作業行程での刈取作業を終了して枕地を走行するときには、自動昇降スイッチ７５を押し操作して刈取処理装置を非刈取上昇位置に上昇させると、刈取作業開始条件が満たされていないことを判別して、刈取クラッチ１０を切り状態にする。枕地から未刈り領域に進入して次の作業行程での刈取作業を開始するときには、自動昇降スイッチ７５を押し操作して刈取処理装置３を刈取処理高さに下降させると、刈取処理装置３が刈取処理高さに位置し、且つ、走行速度が設定速度以上であるので、刈取作業開始条件が満たされていることを判別して、刈取クラッチ１０を入り状態にする。このようにして全ての作業行程の刈取作業を行なうことになる。
【００７６】
したがって、エンジンを始動させて作業を開始するときには、作業開始指令用操作スイッチ７５を押し操作するだけの簡単な操作で、速度調整レバー４２を定格回転状態にかつ脱穀クラッチ１２を入り状態としかつ刈取クラッチ１０を切り状態にする運転起動状態になるので、作業を開始するときにあたって、操作の簡略化を図れるものとなる。そして、運転起動状態において、刈取部が刈取処理高さに位置し、且つ、走行速度が設定速度以上であると、刈取作業開始条件が満たされていると判別することにより、刈取クラッチ１０を切り状態に切り換えることができるものであるから、刈取作業を行なうにあたって、操作の簡略化を図れるものとなる。
【００７７】
前記旋回用の無段変速装置８が旋回用の目標速度になるように変速操作手段ＨＳの作動を制御する処理について説明を加えると、操作レバー７０が、中立位置から離れる方向への移動量と旋回半径に対応する速度比率との関係が図１３に示すように二次関数に対応する関係として定めて記憶されている。一方、前記直進用変速位置センサ９４からの直進用検出値と、図１３に示すような関係の関数とから、旋回用の無段変速装置８の目標速度としての目標変速位置すなわち目標斜板位置を求めるのである。そして、旋回用変速位置センサ９５からの旋回用検出値が目標変速値になるように変速操作手段ＨＳの作動を制御して変速操作を行う。ちなみに、直進用の無段変速装置７は主変速レバー６９に対する手動操作にて変速位置が調整されることになる。
【００７８】
図１３に基づいて説明を加えると、図１３のラインＬ１は基準となる直進側の無段変速装置の速度を示し、ラインＬ２は緩旋回モードにおける目標回転速度の変化を示し、ラインＬ３は信地旋回モードにおける目標回転速度の変化を示し、ラインＬ４は超信地旋回モードにおける目標回転速度の変化を示しており、前記旋回モード切換え操作具７３にて指定された旋回モードが選択されることになる。説明を加えると、ラインＬ２にて示す緩旋回モードでは、操作レバー７０が最大操作位置にまで操作されると、旋回側の走行装置が反対側の走行装置の走行速度Ｖの約１／３の速度にまで減速されるように、操作レバー７０の操作位置に対する、左右の走行装置１Ｒ、１Ｌの速度比率の変化特性が予め設定されている。ラインＬ３で示す信地旋回モードにおいては、操作レバー７０が最大操作位置にまで操作されると、旋回側の走行装置の走行速度が零となるまで減速されるように、操作レバー７０の操作位置に対する左右の走行装置１Ｒ、１Ｌの速度比率が予め設定されている。又、ラインＬ４に示す超信地旋回モードにおいては、操作レバー７０が最大操作位置にまで操作されると、旋回側の走行装置の走行速度が反対側の走行装置の駆動回転方向とは逆回転方向で、反対側の走行装置の速度と同速度になるように、操作レバー７０の操作位置に対する左右の走行装置１Ｒ、１Ｌの速度比率が予め設定されている。
【００７９】
〔第２実施形態〕
以下、本発明に係るコンバインの旋回制御装置の第２実施形態を説明するが、基本的な構成は、上記第１実施の形態と同様であるので、同様な構成については、第１実施の形態と同じ符号を付け、説明は省略する。
【００８０】
前記アクセルレバー４５は、枠部５０が備える支持用軸部５３に揺動自在に支持されており、さらに、円盤状の摩擦板９７がアクセルレバー４５及び支持用軸部５３の夫々に取り付けられている。これによりアクセルレバー４５を操作しない状態では、バネの付勢力に抗してアクセルレバー４５の位置を維持するようになっている。
【００８１】
前記切換操作用モータＭを正逆回転駆動すると、連動操作部Ｂを取り付け用軸部５１の軸芯周りで正逆回転させて、図１６に示す走行停止位置と、図１７に示す脱穀位置と、図１８に示す刈取作業位置と、図１９に示す走行位置とに切り換え操作する構成となっている。
説明を加えると、図１６に示すように、連動操作部Ｂが走行停止位置に位置する場合において、摩擦板９７の摩擦作用によりアクセルレバー４５を切り位置に維持し、速度調整レバー４２をアイドリング状態に維持する。ちなみに、この走行停止位置において、脱穀クラッチ１２及び刈取クラッチ１０の両方とも切り状態になっている。
【００８２】
図１７に示すように、切換操作用モータＭを正回転駆動させることにより、連動操作部Ｂが走行停止位置から脱穀位置に位置変更する場合において、アクセルレバー操作用カム４６のカム面４６ａがカムフォロア５４に押圧作用することにより、アクセルレバー４５を切り位置から入り位置に切り換え、速度調整レバー４２をアイドリング状態から定格回転状態に切り換える。刈取クラッチ操作用取り付け板５９が刈取クラッチ操作用ケーブル６０の延びる方向にほぼ直交する方向に揺動するので、刈取クラッチ操作用取り付け板５９に相対回動自在に連結されている刈取クラッチ操作用Ｌ字リンク６１に取り付けられている刈取クラッチ操作用ケーブル６０を引っ張り操作することがほとんど無く、刈取クラッチ１０を切り位置に維持する。脱穀クラッチ操作用取り付け板５６が脱穀クラッチ操作用ケーブル５７の延びる方向に揺動するので、脱穀クラッチ操作用取り付け板５６に相対回動自在に連結されている脱穀クラッチ操作用Ｌ字リンク５８に取り付けられている脱穀クラッチ操作用ケーブル５７を引っ張り操作して、脱穀クラッチ１２を切り状態から入り状態に切り換える。
【００８３】
図１８に示すように、切換操作用モータＭを正回転駆動させることにより、連動操作部Ｂが脱穀位置から刈取作業位置に位置変更する場合において、アクセルレバー操作用カム４６の外周面４６ｂがカムフォロア５４に当接することにより、アクセルレバー４５を入り位置に維持し、速度調整レバー４２を定格回転状態に維持する。刈取クラッチ操作用取り付け板５９が刈取クラッチ操作用ケーブル６０の延びる方向に揺動するので、刈取クラッチ操作用取り付け板５９に相対回動自在に連結されている刈取クラッチ操作用Ｌ字リンク５８に取り付けられている操作用ケーブル５５を引っ張り操作して、刈取クラッチ１０を切り位置から入り状態に切り換える。脱穀クラッチ操作用取り付け板５６が脱穀クラッチ操作用ケーブル５７の延びる方向にほぼ直交する方向に揺動するので、脱穀クラッチ操作用取り付け板５６に相対回動自在に連結されている脱穀クラッチ操作用Ｌ字リンク５８に取り付けられている脱穀クラッチ操作用ケーブル５７を引っ張り操作することがほとんど無く、脱穀クラッチ１２を入り状態に維持する。
【００８４】
図１９に示すように、切換操作用モータＭを逆回転駆動させることにより、連動操作部Ｂが刈取作業位置から走行位置に位置変更する場合において、摩擦板９７の摩擦作用によりアクセルレバー４５を入り位置に維持し、速度調整レバー４２を定格回転状態に維持する。ちなみに、この走行位置において、脱穀クラッチ１２及び刈取クラッチ１０の両方とも切り状態になっている。
【００８５】
以上の構成により、連動操作部Ｂを取り付け用軸部５１の軸芯周りで正回転させることにより、速度調整レバー４２がアイドリング状態、脱穀クラッチ１２及び刈取クラッチ１０が切り状態となる走行停止位置、速度調整レバー４２が定格回転状態、脱穀クラッチ１２及び刈取クラッチ１０が切り状態となる走行位置、速度調整レバー４２が定格回転状態、脱穀クラッチ１２が入り状態、刈取クラッチ１０が切り状態となる脱穀位置、速度調整レバー４２が定格回転状態、脱穀クラッチ１２が入り状態、刈取クラッチ１０が入り状態となる刈取作業位置に順次切り換え操作し、連動操作部Ｂを取り付け用軸部５１の軸芯周りで逆回転させることにより、速度調整レバー４２が定格回転状態、脱穀クラッチ１２が入り状態、刈取クラッチ１０が入り状態となる刈取作業位置、速度調整レバー４２が定格回転状態、脱穀クラッチ１２が入り状態、刈取クラッチ１０が切り状態となる脱穀位置、速度調整レバー４２が定格回転状態、脱穀クラッチ１２及び刈取クラッチ１０が切り状態となる走行位置に順次切り換え操作する構成となっている。ちなみに、連動操作部Ｂが走行停止位置及び走行位置に位置する状態において、アクセルレバー４５を操作することにより、速度調整レバー４２をアイドリング状態と定格回転状態とに切り換えることができるようになっている。
【００８６】
〔別実施の形態〕
（１）上記実施の形態では、前記運転操作状態検出手段Ｊが、前記制御装置Ｈを主要部として構成されて、その制御装置Ｈが、脱穀装置４を搭載した走行機体２に対して昇降操作自在に設けられた刈取処理装置３の昇降位置を検出する対機体高さセンサ３３、及び、主変速レバー６９の変速操作位置を検出する主変速レバーセンサ８６の検出情報に基づいて、刈取処理装置３が設定高さよりも下降側の刈取処理高さに位置し、且つ、主変速レバー６９がニュートラル位置Ｎ以外の位置に位置する又はニュートラル位置Ｎ及びそのニュートラル位置Ｎの近傍範囲以外の位置に位置すると、刈取作業開始条件が満たされたと判別する構成を例示したが、このような構成に代えて、前記運転操作状態検出手段Ｊが、前記制御装置Ｈを主要部として構成されて、その制御装置Ｈが、脱穀装置４を搭載した走行機体２に対して昇降操作自在に設けられた刈取処理装置３の昇降位置を検出する対機体高さセンサ３３、及び、主変速レバー６９の変速操作位置を検出する主変速レバーセンサ８６の検出情報に基づいて、刈取処理装置３が設定高さよりも下降側の刈取処理高さに位置し、且つ、主変速レバー６９が前進側範囲の位置又は前進側範囲でかつ設定速度以上の高速側の範囲に位置すると、刈取作業開始条件が満たされたと判別する構成としてもよい。
【００８７】
又は、前記運転操作状態検出手段Ｊが、前記制御装置Ｈを主要部として構成されて、その制御装置Ｈが、脱穀装置４を搭載した走行機体２に対して昇降操作自在に設けられた刈取処理装置３の昇降位置を検出する対機体高さセンサ３３の検出情報に基づいて、刈取処理装置３が設定高さよりも下降側の刈取処理高さに位置すると、刈取作業開始条件が満たされたと判別する構成や、前記運転操作状態検出手段Ｊが、前記制御装置Ｈを主要部として構成されて、その制御装置Ｈが、主変速レバー６９の変速操作位置を検出する主変速レバーセンサ８６の検出情報に基づいて、制御装置Ｈが、主変速レバー６９がニュートラル位置Ｎ以外の位置に位置する又はニュートラル位置Ｎ及びそのニュートラル位置Ｎの近傍範囲以外の位置に位置すると、刈取作業開始条件が満たされたと判別する構成や、あるいは、前記運転操作状態検出手段Ｊが、前記制御装置Ｈを主要部として構成されて、その制御装置Ｈが、主変速レバー６９の変速操作位置を検出する主変速レバーセンサ８６の検出情報に基づいて、主変速レバー６９が前進側範囲の位置又は前進側範囲でかつ設定速度以上の高速側の範囲に位置すると、刈取作業開始条件が満たされたと判別する構成としてもよい。
【００８８】
（２）上記実施の形態では、脱穀クラッチ１２及び刈取クラッチ１０の入り状態と切り状態との切換操作及び速度調整レバー４２の定格回転状態とアイドリング状態との切換操作を行う切換操作用モータＭを設ける構成を例示したが、このような構成に代えて、脱穀クラッチ１２及び刈取クラッチ１０の入り状態と切り状態との切換操作を行なうクラッチ切換操作用モータと、速度調整レバー４２の定格回転状態とアイドリング状態との切換操作を行う速度調整レバー切換操作用モータとを各別に設ける構成としてもよく、あるいは、速度調整レバー４２、脱穀クラッチ１２、刈取クラッチ１０の夫々に対して脱穀クラッチ切換操作用モータ、刈取クラッチ切換操作用モータ、速度調整レバー切換操作用モータを設ける構成としてもよい、
【００８９】
（３）上記実施の形態では、前記運転操作状態検出手段Ｊが、前記制御装置Ｈを主要部として構成されて、その制御装置Ｈが、脱穀装置４を搭載した走行機体２に対して昇降操作自在に設けられた刈取処理装置３の昇降位置を検出する対機体高さセンサ３３、及び、主変速レバー６９の変速操作位置を検出する主変速レバーセンサ８６の検出情報に基づいて、刈取処理装置３が設定高さよりも下降側の刈取処理高さに位置し、且つ、主変速レバー６９がニュートラル位置Ｎ以外の位置に位置する又はニュートラル位置Ｎ及びそのニュートラル位置Ｎの近傍範囲以外の位置に位置すると、刈取作業開始条件が満たされたと判別する構成を例示したが、このような構成に限られるものではなく、前記運転操作状態検出手段Ｊが、前記制御装置Ｈを主要部として構成されて、その制御装置Ｈが、刈取処理装置３の分草具に設けられた株元センサにて穀稈の存在を検出すると、刈取作業開始条件が満たされたと判別する構成としてもよく、前記運転操作状態検出手段Ｊが、前記制御装置Ｈを主要部として構成されて、その制御装置Ｈが、撮像手段の撮像情報にて穀稈の存在を検出すると、刈取作業開始条件が満たされたと判別する構成としてもよい。
【図面の簡単な説明】
【００９０】
【図１】第１実施形態におけるコンバインの全体側面図
【図２】第１実施形態における伝動構造を示す概略構成図
【図３】第１実施形態における伝動構造を示す概略構成図
【図４】第１実施形態における連動操作部の左側面図
【図５】第１実施形態における連動操作部の平面図
【図６】第１実施形態における連動操作部の右側面図
【図７】第１実施形態における走行停止位置に位置する連動操作部を示す概略構成図
【図８】第１実施形態における走行位置に位置する連動操作部を示す概略構成図
【図９】第１実施形態における脱穀位置に位置する連動操作部を示す概略構成図
【図１０】第１実施形態における刈取作業位置に位置する連動操作部を示す概略構成図
【図１１】第１実施形態における制御ブロック図
【図１２】第１実施形態における変速位置と変速出力との関係を示す図
【図１３】第１実施形態における旋回レバーの操作位置と速度比率を示す図
【図１４】第１実施形態におけるスイッチの点灯状態を示す図
【図１５】第１実施形態における制御動作のフローチャート
【図１６】第２実施形態における走行停止位置に位置する連動操作部を示す概略構成図
【図１７】第２実施形態における脱穀位置に位置する連動操作部を示す概略構成図
【図１８】第２実施形態における刈取作業位置に位置する連動操作部を示す概略構成図
【図１９】第２実施形態における走行位置に位置する連動操作部を示す概略構成図
【符号の説明】
【００９１】
２                      走行機体
３                      刈取処理装置
４                      脱穀装置
１０                    刈取クラッチ
１２                    脱穀クラッチ
３３                    昇降位置検出手段
４２                    アクセル手段
６９                    走行変速操作具
７６                    メインスイッチ
８６                    操作位置検出手段
Ｅ                      エンジン
Ｈ                      制御手段
Ｉ                      作業指令手段
Ｊ                      運転状態検出手段
Ｍ                      切換操作用駆動手段、アクチュエータ
Ｎ                      ニュートラル位置
【図１】
2008212153.tif 000003
【図２】
2008212153.tif 000004
【図３】
2008212153.tif 000005
【図４】
2008212153.tif 000006
【図５】
2008212153.tif 000007
【図６】
2008212153.tif 000008
【図７】
2008212153.tif 000009
【図８】
2008212153.tif 000010
【図９】
2008212153.tif 000011
【図１０】
2008212153.tif 000012
【図１１】
2008212153.tif 000013
【図１２】
2008212153.tif 000014
【図１３】
2008212153.tif 000015
【図１４】
2008212153.tif 000016
【図１５】
2008212153.tif 000017
【図１６】
2008212153.tif 000018
【図１７】
2008212153.tif 000019
【図１８】
2008212153.tif 000020
【図１９】
2008212153.tif 000021
【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
エンジンの出力を脱穀装置に伝達する入り状態と前記エンジンの出力の前記脱穀装置への伝達を遮断する切り状態とに切り換え自在な脱穀クラッチと、
前記エンジンの出力を刈取処理装置に伝達する入り状態と前記エンジンの出力の前記刈取処理装置への伝達を遮断する切り状態とに切り換え自在な刈取クラッチとが設けられたコンバインの駆動制御装置であって、
前記脱穀クラッチの前記入り状態と前記切り状態との切換操作、及び、前記刈取クラッチの前記入り状態と前記切り状態との切換操作を行う切換操作用駆動手段と、
作業開始指令を指令する状態に操作自在な作業指令手段と、
刈取作業開始条件が満たされているか否かを判別するための運転操作状態を検出する運転操作状態検出手段と、
前記切換操作用駆動手段の作動を制御する制御手段とが設けられ、
前記制御手段が、
前記作業指令手段にて前記作業開始指令が指令されると、前記脱穀クラッチを入り状態にする運転起動状態にすべく、前記切換操作用駆動手段の作動を制御するように構成され、且つ、
前記運転起動状態において、前記運転操作状態検出手段の検出情報に基づいて前記刈取作業開始条件が満たされていることを判別すると、前記刈取クラッチを前記入り状態にし、かつ、前記運転操作状態検出手段の検出情報に基づいて前記刈取作業開始条件が満たされていないことを判別すると、前記刈取クラッチを前記切り状態にすべく、前記切換操作用駆動手段の作動を制御するように構成されているコンバインの駆動制御装置。
【請求項２】
前記運転操作状態検出手段が、
前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、
前記制御手段が、
前記刈取処理装置が設定高さよりも下降側の刈取処理高さに位置し、且つ、前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている請求項１に記載のコンバインの駆動制御装置。
【請求項３】
前記運転操作状態検出手段が、
前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、
前記制御手段が、
前記刈取処理装置が設定高さよりも下降側の刈取処理高さに位置し、且つ、前記走行変速操作具が前進側範囲の位置又は前進側範囲でかつ設定速度以上の高速側の範囲に位置すると、前記刈取作業開始条件が満たされたと判別するように構成されている請求項１に記載のコンバインの駆動制御装置。
【請求項４】
前記運転操作状態検出手段が、
前記脱穀装置を搭載した走行機体に対して昇降操作自在に設けられた前記刈取処理装置の昇降位置を検出する昇降位置検出手段を備えて構成され、
前記制御手段が、
前記刈取処理装置が設定高さよりも下降側の刈取処理高さに位置すると、前記刈取作業開始条件が満たされたと判別するように構成されている請求項１に記載のコンバインの駆動制御装置。
【請求項５】
前記運転操作状態検出手段が、
走行変速操作具の変速操作位置を検出する操作位置検出手段を備えて構成され、
前記制御手段が、
前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている請求項１に記載のコンバインの駆動制御装置。
【請求項６】
前記運転操作状態検出手段が、
走行変速操作具の変速操作位置を検出する操作位置検出手段を備えて構成され、
前記制御手段が、
前記走行変速操作具が前進側範囲の位置又は前進側範囲でかつ設定速度以上の高速側の範囲に位置すると、前記刈取作業開始条件が満たされたと判別するように構成されている請求項１に記載のコンバインの駆動制御装置。
【請求項７】
電源回路を切るオフ状態及び前記電源回路を入れるオン状態に切換操作自在なメインスイッチが設けられ、
前記制御手段が、前記メインスイッチが前記オフ状態から前記オン状態に切り換えられると、前記脱穀クラッチ及び前記刈取クラッチを前記切り状態にすべく、前記切換操作用駆動手段の作動を制御するように構成されている請求項１〜６のいずれか１項に記載のコンバインの駆動制御装置。
【請求項８】
前記切換操作用駆動手段が、単一のアクチュエータにて、前記脱穀クラッチ、及び、前記刈取クラッチを操作するように構成されている請求項１〜７のいずれか１項に記載のコンバインの駆動制御装置。
【手続補正２】
【補正対象書類名】明細書
【補正対象項目名】０００１
【補正方法】変更
【補正の内容】
【０００１】
本発明は、エンジンの出力を脱穀装置に伝達する入り状態と前記エンジンの出力の前記脱穀装置への伝達を遮断する切り状態とに切り換え自在な脱穀クラッチと、前記エンジンの出力を刈取処理装置に伝達する入り状態と前記エンジンの出力の前記刈取処理装置への伝達を遮断する切り状態とに切り換え自在な刈取クラッチとが設けられたコンバインの駆動制御装置に関する。  
【手続補正３】
【補正対象書類名】明細書
【補正対象項目名】００１０
【補正方法】変更
【補正の内容】
【００１０】
本発明のコンバインの駆動制御装置は、エンジンの出力を脱穀装置に伝達する入り状態と前記エンジンの出力の前記脱穀装置への伝達を遮断する切り状態とに切り換え自在な脱穀クラッチと、
前記エンジンの出力を刈取処理装置に伝達する入り状態と前記エンジンの出力の前記刈取処理装置への伝達を遮断する切り状態とに切り換え自在な刈取クラッチとが設けられたものであって、その第１特徴構成は、前記脱穀クラッチの前記入り状態と前記切り状態との切換操作、及び、前記刈取クラッチの前記入り状態と前記切り状態との切換操作を行う切換操作用駆動手段と、作業開始指令を指令する状態に操作自在な作業指令手段と、刈取作業開始条件が満たされているか否かを判別するための運転操作状態を検出する運転操作状態検出手段と、前記切換操作用駆動手段の作動を制御する制御手段とが設けられ、前記制御手段が、前記作業指令手段にて前記作業開始指令が指令されると、前記脱穀クラッチを入り状態にする運転起動状態にすべく、前記切換操作用駆動手段の作動を制御するように構成され、且つ、前記運転起動状態において、前記運転操作状態検出手段の検出情報に基づいて前記刈取作業開始条件が満たされていることを判別すると、前記刈取クラッチを前記入り状態にし、かつ、前記運転操作状態検出手段の検出情報に基づいて前記刈取作業開始条件が満たされていないことを判別すると、前記刈取クラッチを前記切り状態にすべく、前記切換操作用駆動手段の作動を制御するように構成されている点にある。
【手続補正４】
【補正対象書類名】明細書
【補正対象項目名】００１１
【補正方法】変更
【補正の内容】
【００１１】
すなわち、作業指令手段にて作業開始指令を指令することにより、制御手段が切換操作用駆動手段を作動させて、脱穀クラッチを入り状態にする運転起動状態にすることになる。運転起動状態において、運転操作状態検出手段にて刈取作業開始条件が満たされていないことを判別することにより、制御手段が切換操作用駆動手段を作動させて、刈取クラッチを切り状態にし、運転操作状態検出手段にて刈取作業開始条件が満たされていることを判別することにより、制御手段が切換操作用駆動手段を作動させて、刈取クラッチを入り状態にすることになる。
【手続補正５】
【補正対象書類名】明細書
【補正対象項目名】００１２
【補正方法】変更
【補正の内容】
【００１２】
このように、エンジンの始動後において、作業指令手段にて作業開始指令を指令することにより、脱穀クラッチを入り状態にする運転起動状態にすることができるものであるから、単に、作業指令手段にて作業開始指令を指令するだけの簡単な操作で運転起動状態に操作できるものとなるのであり、運転起動状態への操作の簡略化を図ることができるものとなる。
そして、運転起動状態において、運転操作状態検出手段にて刈取作業開始条件が満たされていないことを判別することにより、刈取クラッチを切り状態にし、運転操作状態検出手段にて刈取作業開始条件が満たされていることを判別することにより、刈取クラッチを入り状態にすることができるものであるから、刈取作業開始条件を満足するか否かに基づいて刈取クラッチを入り状態と切り状態とに自動的に切り換えられることになり、刈取作業を行なうときの操作の簡略化を図ることができるものとなる。
つまり、エンジンの始動状態において、作業指令手段にて作業開始指令を指令するだけの簡単な操作により、脱穀クラッチを入り状態にする運転起動状態への切り換え、及び、その運転起動状態における刈取クラッチの入り状態と切り状態との切り換えを行えるものとなる。
したがって、脱穀クラッチ及び刈取クラッチが切り状態で且つアクセル手段がアイドリング状態であるエンジン始動状態から、脱穀クラッチを入り状態にする運転起動状態への切り換え、及び、その運転起動状態における刈取クラッチの入り状態と切り状態との切り換えについての操作の簡略化を図ることができるコンバインの駆動制御装置を得るに至った。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
本発明の第２特徴構成は、上記第１特徴構成に加えて、前記運転操作状態検出手段が、前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、前記制御手段が、前記刈取処理装置が設定高さよりも下降側の刈取処理高さに位置し、且つ、前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている点を特徴とする。
【手続補正１０】
【補正対象書類名】明細書
【補正対象項目名】００１９
【補正方法】変更
【補正の内容】
【００１９】
本発明の第３特徴構成は、上記第１特徴構成に加えて、前記運転操作状態検出手段が、前記脱穀装置を搭載した走行機体に対して昇降操作自在に設けられた前記刈取処理装置の昇降位置を検出する昇降位置検出手段、及び、走行変速操作具の変速操作位置を検出する操作位置検出手段を備えて構成され、前記制御手段が、前記刈取処理装置が設定高さよりも下降側の刈取処理高さに位置し、且つ、前記走行変速操作具が前進側範囲の位置又は前進側範囲でかつ設定速度以上の高速側の範囲に位置すると、前記刈取作業開始条件が満たされたと判別するように構成されている点を特徴とする。
【手続補正１１】
【補正対象書類名】明細書
【補正対象項目名】００２２
【補正方法】変更
【補正の内容】
【００２２】
本発明の第４特徴構成は、上記第１特徴構成に加えて、前記運転操作状態検出手段が、前記脱穀装置を搭載した走行機体に対して昇降操作自在に設けられた前記刈取処理装置の昇降位置を検出する昇降位置検出手段を備えて構成され、前記制御手段が、前記刈取処理装置が設定高さよりも下降側の刈取処理高さに位置すると、前記刈取作業開始条件が満たされたと判別するように構成されている点を特徴とする。
【手続補正１２】
【補正対象書類名】明細書
【補正対象項目名】００２５
【補正方法】変更
【補正の内容】
【００２５】
本発明の第５特徴構成は、上記第１特徴構成に加えて、前記運転操作状態検出手段が、走行変速操作具の変速操作位置を検出する操作位置検出手段を備えて構成され、前記制御手段が、前記走行変速操作具がニュートラル位置以外の位置に位置する又は前記ニュートラル位置及びそのニュートラル位置の近傍範囲以外の位置に位置すると、前記刈取作業開始条件が満たされたと判別するように構成されている点を特徴とする。
【手続補正１３】
【補正対象書類名】明細書
【補正対象項目名】００２８
【補正方法】変更
【補正の内容】
【００２８】
本発明の第６特徴構成は、上記第１特徴構成に加えて、前記運転操作状態検出手段が、走行変速操作具の変速操作位置を検出する操作位置検出手段を備えて構成され、前記制御手段が、前記走行変速操作具が前進側範囲の位置又は前進側範囲でかつ設定速度以上の高速側の範囲に位置すると、前記刈取作業開始条件が満たされたと判別するように構成されている点を特徴とする。
【手続補正１４】
【補正対象書類名】明細書
【補正対象項目名】００３１
【補正方法】変更
【補正の内容】
【００３１】
本発明の第７特徴構成は、上記第１〜第６のいずれかの特徴構成に加えて、電源回路を切るオフ状態及び前記電源回路を入れるオン状態に切換操作自在なメインスイッチが設けられ、前記制御手段が、前記メインスイッチが前記オフ状態から前記オン状態に切り換えられると、前記脱穀クラッチ及び前記刈取クラッチを前記切り状態にすべく、前記切換操作用駆動手段の作動を制御するように構成されている点を特徴とする。
【手続補正１５】
【補正対象書類名】明細書
【補正対象項目名】００３３
【補正方法】変更
【補正の内容】
【００３３】
本発明の第８特徴構成は、上記第１〜第７特徴構成のいずれか１つの特徴構成に加えて、前記切換操作用駆動手段が、単一のアクチュエータにて、前記脱穀クラッチ、及び、前記刈取クラッチを操作するように構成されている点を特徴とする。